(57)【要約】【課題】本発明は、繰り返し書き換え可能で、優れた情報データー表示、正確な情報伝達が可能な、表示部の情報データーを書き換える際に電気泳動表示層を構成するマイクロカプセル層のマイクロカプセルの損傷が起こらない電気泳動表示方式記録メディアおよび高電圧を必要とせず、安全、小型の電気泳動表示方式記録メディアレコーダーを提供することを課題とする。【解決手段】透明樹脂層、透明電極、マイクロカプセル層が順次積層され、さらに、導電性接着剤層を介して駆動トランジスタが積層されてなる電気泳動表示部を有する電気泳動表示層の裏面側には反射層、記録層が積層されて、さらに、ＩＣ基板が内蔵されて具備する、情報データを通信する機能、受信した情報データを記憶保持する機能、記憶された情報を駆動用の情報に演算する機能、電気泳動表示部に表示させるための駆動機能、電源受給機能を有することを特徴とする。【選択図】図１
2009080262.tif 000002
【特許請求の範囲】
【請求項１】
繰り返し書き換え可能な電気泳動表示方式記録メディアであって、
透明樹脂層、透明電極層、マイクロカプセル層が順次積層され、さらに、導電性接着剤層を介して駆動トランジスタが積層されてなる電気泳動表示部を有する電気泳動表示層の裏面側には反射層、記録層が積層されて、さらに、ＩＣ基板が内蔵されて具備する、情報データを通信する機能、受信した情報データを記憶保持する機能、記憶された情報を駆動用の情報に演算する機能、電気泳動表示部に表示させるための駆動機能、電源受給機能を有することを特徴とする電気泳動表示方式記録メディア。
【請求項２】
前記ＩＣ基板が、前記電気泳動表示方式記録メディアの重心が回転中心に保持されるように該電気泳動表示方式記録メディア穴部の円周部に配置されていることを特徴とする請求項１記載の電気泳動表示方式記録メディア。
【請求項３】
前記情報データを通信する駆動電極および前記電気泳動表示部に表示させるための駆動電極が、前記電気泳動表示方式記録メディア穴部の円周部に配置されていることを特徴とする請求項１または２記載の電気泳動表示方式記録メディア。
【請求項４】
情報データを演算機能を通して送信する機能および電源供給機能を有することを特徴とする電気泳動表示方式記録メディアレコーダー。
【発明の詳細な説明】
【技術分野】
【０００１】
本発明は、ＣＤ、ＤＶＤのＣＤ−ＲＷ、ＤＶＤ−ＲＷ、およびＤＶＤ−ＲＡＭ等の繰り返し記録できる電気泳動表示方式記録メディアおよびそのレコーダーに関する。
【背景技術】
【０００２】
現在、パソコンやデジタルカメラ等電子機器の普及によりＣＤ−ＲＷ、ＤＶＤ−ＲＷ及びＤＶＤ−ＲＡＭ等の記録メディアに、画像や映像、音楽といったコンテンツを記録する機会が多くなった。このような記録メディアの外部表面上には文字や画像を表示する表示部を有している。例えば、表示部に文字や画像を描きたい場合、ＣＤやＤＶＤ表面に印刷可能な専用プリンターで印刷するか、専用のラベルに印刷していた。
【０００３】
このような記録メディアの内容を書き換える機会が頻繁にあり、それに伴い表面表示部の内容を変更する必要がある。しかしながら、従来の記録メディアでは内容を書き換えた場合、表面の表示部に新しいラベルを印刷し貼り替える等の非常に手間がかかる作業が必要であるという問題があった。
【０００４】
また、新しいラベル等を表面表示部に貼り付ける際、以前のラベルが取り剥がせない、またはラベルがずれる、粘着性物質が残存するなどして確実に貼り付けることができないという問題を生じる可能性があり、場合によっては記録面やディスク基板等を損傷させてしまう可能性もある。
【０００５】
また、近年の環境問題への関心が非常に高まっている中で、従来の粘着式ラベルを剥がし、廃棄するということがないような記録メディアの表面表示層が要求されている。
【０００６】
メディア表面に電気泳動表示を利用した方法としては、例えば、特許文献１で提案されている、画像の印字と消去を繰り返し行うことが可能な印字方法がある。
【０００７】
上記の特許文献１で提案されている印字方法は、システムは構成する一対の電極層のうち、分散系に表示動作を行わせる側の電極層を切り離し、印字する際にその電極層を分散系と接触させて両電極層間に電圧を印加させる画像表示方法である。しかしながら、マイクロカプセルに直接外部電極を接触させて駆動させる方式であるため、メディア自体にはマイクロカプセルの保護層がない。したがって、上部からの圧力によりマイクロカプセルが損傷してしまうという問題点があった。保護層を設けることは容易に考えられるが、この層により外部電極から印加される電圧は著しく降下するため、感電や発火を起こすような非常に高い電圧が必要となり、現実的ではなかった。
【０００８】
下記に公知文献を記す。
【特許文献１】特開２００１−１８８２６８号公報
【発明の開示】
【発明が解決しようとする課題】
【０００９】
本発明は、上記の問題を解決するためになされたものであって、繰り返し書き換え可能で、優れた情報データー表示、正確な情報伝達が可能な、表示部の情報データーを書き換える際に電気泳動表示層を構成するマイクロカプセル層のマイクロカプセルの損傷が起こらない電気泳動表示方式記録メディア、および高電圧を必要とせず、安全、小型の電気泳動表示方式記録メディアレコーダーを提供することを課題とする。
【課題を解決するための手段】
【００１０】
本発明は、上記の課題を達成するために、
請求項１に係る発明は、繰り返し書き換え可能な電気泳動表示方式記録メディアであって、
透明樹脂層、透明電極層、マイクロカプセル層が順次積層され、さらに、導電性接着剤層を介して駆動トランジスタが積層されてなる電気泳動表示部を有する電気泳動表示層の裏面側には反射層、記録層が積層されて、さらに、ＩＣ基板が内蔵されて具備する、情報データを通信する機能、受信した情報データを記憶保持する機能、記憶された情報を駆動用の情報に演算する機能、電気泳動表示部に表示させるための駆動機能、電源受給機能を有することを特徴とする電気泳動表示方式記録メディアである。
【００１１】
また、請求項２に係る発明は、前記ＩＣ基板が、前記電気泳動表示方式記録メディアの重心が回転中心に保持されるように該電気泳動表示方式記録メディア穴部の円周部に配置されていることを特徴とする請求項１記載の電気泳動表示方式記録メディアである。
【００１２】
また、請求項３に係る発明は、前記情報データを通信する駆動電極および前記電気泳動表示部に表示させるための駆動電極が、前記電気泳動表示方式記録メディア穴部の円周部に配置されていることを特徴とする請求項１または２記載の電気泳動表示方式記録メディアである。
【００１３】
また、請求項４に係る発明は、情報データを演算機能を通して送信する機能および電源供給機能を有することを特徴とする電気泳動表示方式記録メディアレコーダーである。
【発明の効果】
【００１４】
本発明により、繰り返し書き換え可能で、優れた情報データー表示、正確な情報伝達が可能で、表示部の情報データーを書き換える際に電気泳動表示層を構成するマイクロカプセル層のマイクロカプセルの損傷が起こらない電気泳動表示方式記録メディア、および高電圧を必要とせず、安全、小型の電気泳動表示方式記録メディアレコーダーを提供できる。
【発明を実施するための最良の形態】
【００１５】
以下、本発明の最良の実施形態の一例について、図面を参照して具体的に説明する。
【００１６】
電気泳動を利用した表示装置のひとつにマイクロカプセルを用いた電気泳動表示装置がある。この表示装置は、透明溶媒が満たされたマイクロカプセル中に正、負に帯電した白い粒子と黒い粒子を入れ、外部電圧の印加によってそれぞれの粒子を表示面に引き上げて画像を形成するものである。マイクロカプセルのサイズは数十μｍ〜数百μｍと小さいので、このマイクロカプセルを透明なバインダー材に分散させると、インクのようにコーティングすることができる。このインクは、外部から電圧を印加することで画像を描くことができるので、電子インクと呼ばれる。
【００１７】
透明電極を形成した透明樹脂膜にこの電子インクをコーティングし、ＴＦＴに代表されるアクティブマトリクス駆動用の電極回路を形成した基板に貼り合わせると、アクティブマトリクスディスプレイを得ることができる。通常、透明電極を形成した透明樹脂フィルムに電子インクをコーティングした部品を「前面板」と呼び、アクティブマトリクス駆動用の電極回路を形成した基板を「背面板」と呼んでいる。背面板にはアクティブマトリクスの他、導電性を有する様々な基板、フィルムを使用することができる。
【００１８】
図１は、本発明の電気泳動表示方式記録メディアの上面図である。
【００１９】
本発明の電気泳動表示方式記録メディア１は、最上層の表面表示部に電気泳動表示シート２層が存在し、さらに内周部４、外周部６及び穴部３を有する。また、内周部４と表面表示部の接面に内側境界部５が存在し、外周部６と表面表示部の接面に外側境界部７が存在する。
【００２０】
図２は、本発明の電気泳動表示方式記録メディアの模式断面図である。
【００２１】
図２に示すように、ポリエチレンテレフタレートからなる透明樹脂フィルム８の透明電極層（ＩＴＯ膜）９を有した面に、電子インクを塗布することでマイクロカプセル層１２を形成し、次いで、マイクロカプセル層１２に導電性接着剤層１３を形成して、前面板１４を得る。
【００２２】
ディスク基板２０、記録層１９、反射層１８及びＴＦＴ基材層１７から成る記録メディア層２２のＴＦＴ基材層１７面に、印刷法、スパッタ法等でＴＦＴ（Ｔｈｉｎ  Ｆｉｌｍ
Ｔｒａｎｓｉｓｔｏｒ）層１６を形成し、駆動基板とする。
【００２３】
前記前面板の導電性接着剤層１３を介してに前記印刷法、スパッタ法等で形成した駆動トランジスタを接着することで、電気泳動表示層１５を有する本発明の電気泳動表示方式記録メディア１を得る。
【００２４】
図３は、本発明の実施形態に係る電気泳動表示方式記録メディアの電気泳動表示層のマイクロカプセル層に含まれるマイクロカプセルの模式平面図である。
【００２５】
電気泳動表示方式記録メディア１において、電気泳動表示層のマイクロカプセル層１２に含まれるマイクロカプセル１０は、図３に示すように、メタクリル酸樹脂、ユリア樹脂、アラビアゴム等をカプセル殻２６とし、その内部に酸化チタンからなる白色の粒子２３とカーボンブラックからなる黒色の粒子２４が、シリコーンオイル等の粘性の高い分散媒２５に分散された状態で封入されたものである。白色の粒子２３である酸化チタンは正電荷を帯びており、一方、黒色の粒子２４であるカーボンブラックは負電荷を帯びている。
【００２６】
このようなマイクロカプセル１０を含む電気泳動表示方式記録メディア表示体は、次のようにして動作する。
【００２７】
図２に示すように、透明樹脂膜８の側の透明電極層９とＴＦＴ１６側に電界を印加し、透明電極層９を負極、ＴＦＴ層１６を正極とした場合、正に帯電した白色の粒子２３は透明電極層９側に引かれ、負に帯電した黒色の粒子２４はＴＦＴ１６側に引かれるので、透明樹脂膜８側から観察するとその部分が白く見える。
【００２８】
逆に、透明電極層８を正極、ＴＦＴ側１６を負極とした場合、負に帯電した黒色の粒子２４は透明電極層９側に引かれ、正に帯電した白色の粒子２３はＴＦＴ１６側に引かれるので、透明樹脂膜８側から観察するとその部分が黒く見える。
【００２９】
マイクロカプセル層１２は、図２の模式断面図に示すように、マイクロカプセル１０を多数含んでおり、電極層の電界の向きを制御することで、上述の原理に基づきマイクロカプセル内の粒子を移動させることで、白と黒として表示させることができる。
【００３０】
本発明の電気泳動表示方式記録メディアにおいては、構造材として樹脂フィルムを用いることで、軽さ及び薄さを持たせることができる。
【００３１】
標準のＣＤ及びＤＶＤ等の記録メディアの寸法は直径が１２０ミリメートルの円形であ
り、中心部に直径１５ｍｍの穴部３が存在する。内周部４と表面表示部の接面に内側境界部５が存在し、その直径は約１５ミリメートルから５０ミリメートルである。また、外周部６と表面表示部の接面に外側境界部７が存在し、その直径は約１１０から１１７ミリメートルである。本発明の電気泳動表示方式記録メディアはどのような大きさまたは形状の円形においても適用される。
【００３２】
本発明の電気泳動表示方式記録メディア１において、透明樹脂膜８の膜厚が厚いと巻取りが困難となり、電子インクの印刷に悪影響を与える。一方、膜厚が薄すぎる場合には、マイクロカプセル表示層１２の保護機能が不十分となる。このため、透明樹脂膜８の膜厚は２５〜１４０μｍが望ましい。
【００３３】
また、透明電極層９の膜厚は、十分な導電性を有するためには１０ｎｍ以上が好ましく、導電性接着層１３としては、１０〜３０μｍが望ましい。マイクロカプセル１０の径は、種々のものを採用することができるが、約２０〜７０μｍのマイクロカプセルを採用すると、十分な解像度と応答性を得ることができ、電子インクのコーティング、加工によりその膜厚はおおよそ１０〜４０μｍとなる。さらに、ＴＦＴ１６の膜厚はおよそ１μｍ〜３μｍが好ましい。
現在、一般に用いられているＣＤ及びＤＶＤ等の記録メディアの厚さはおよそ０．８ｍｍから１．２ｍｍであり、ドライブやプレーヤーの規格では１．５ｍｍ以下と定められている。上述のように、得られた本発明の電気泳動表示方式記録メディア１の厚さは前面板１４とＴＦＴ１６、記録層１９、ＴＦＴ基材層１７及び反射層１８の合計である。その厚さはおよそ１．２２ｍｍ〜１．４５ｍｍで規格範囲内にあり、従来の記録メディアと同じような使用が可能である。
【００３４】
図４は、本発明の一実施形態に係る電気泳動表示方式記録メディアの内側部及び内側境界部の部分詳細図である。
【００３５】
内側穴部３からデータ通信用駆動電極２７、電気泳動表示シート駆動電極２８及びグランド線２９が配置されている。
【００３６】
図５は、図４のＡ−Ａ′付近における側面図である。
【００３７】
図６は、本発明の一実施形態に係る表示駆動方法を説明するブロック図である。
【００３８】
本発明の電気泳動表示方式記録メディアには、接触式にてコンピューター等の外部機器３１のＣＤもしくはＤＶＤユニット４０から電気泳動表示シート駆動の電力供給を受ける電気泳動表示シート駆動電極２８と接触式にて外部機器３１からデータ通信を実施するためのデータ通信用駆動電極２７が配置されている。
【００３９】
情報データを送受信する情報制御するＣＰＵ等のデータ制御ＩＣ回路と情報データを記憶保持する書き換え可能なＩＣメモリー等を備えた電子部品（ＩＣモジュールチップ）が実装されたＩＣ基板２１が内側境界部５に密封されている。記録メディアの回転重心が偏っている場合、レコーダー内での高速回転時にバランスが崩れ、性格に信号が読み取れない、記録層に悪影響を与える、記録メディアの破損といった問題が生じるため、ＩＣ基板２１は内側境界部５に対して、記録メディアの重心がメディアの回転中心に保たれるような形状で配置されている。
【００４０】
また、本発明の電気泳動表示方式記録メディアに内蔵されているＩＣ基板２１には、各種の情報データを記憶、格納する電気的に記憶内容を書き換え可能とされ、記憶されているデータを保持するためのフラッシュメモリ等のＩＣメモリ３６と、これら各種のデバイ
ス部の処理制御を実施するマイクロプロセッサ（ＭＰＵ）３７、電気泳動表示駆動回路３８及びコンピュータからの通信データを受信するＩＣ基板内蔵レシーバー３５が配置、実装されている。ＩＣ基板の厚さは１０μｍ〜７００μｍが好ましい。
【００４１】
パソコン等の外部機器３１のＣＤもしくはＤＶＤユニット４０内に挿入された記録メディア１は、外部機器導線３０とデータ通信用駆動電極２７、外部機器導線３０と電気泳動表示駆動電極２８、さらに外部機器導線３０とグランド線２９が接触するように固定され、これを基準電圧とする。
【００４２】
コンピューター等の外部機器のメモリ３３に記憶されている画像情報をＣＰＵ３２により、画像表示パネルに情報の書き換えがトランシーバー３４からＩＣ基板内蔵レシーバー３５を介して、ＩＣメモリ３６に記憶された情報データが電気泳動表示シート２に可視情報として表示される。
【００４３】
書き換えの際に必要な電力供給源は、外部機器導線３０からデータ通信用駆動電極２７を介して例えば５Ｖの電力が供給され、また電気泳動表示シート駆動電極２８を介して例えば１５Ｖの電力が供給され、駆動電源３９から駆動回路３８を介して電気泳動表示方式記録メディア２に可視情報として表示される。
【００４４】
本発明の電気泳動表示方式記録メディアにおいて、各粒子は粘性の高い分散媒に分散されているため、一度電界を印加した後は、電源が切断されても粒子の位置は変化しない。このように、表示画像が消えないメモリー性を有するので、書き換え時のみに電界を印加すればよく、通常の表示装置と比較して必要な電力も少なくてすむ。
【実施例】
【００４５】
以下、具体的実施例を挙げて本発明を説明する。
【００４６】
塗工液を例えば透明電極層としてＩＴＯコーティングされたポリエチレンテレフタレートやポリイミド樹脂、ポリエチレンナフタレート、ポリカーボネート、ポリプロピレン、ポリ塩化ビニリデン等を用いて、所定のコーティング法により塗工を行った。
【００４７】
上記の塗工シートに導電性接着層が設けられる。導電性接着層の具体的な材質としては、シリコンゴム、アクリルゴム、ブチルゴム、フッ素ゴム、エチレンプロピレンゴム等があり、その膜厚は２５μｍ程度とし、前面板を得た。
【００４８】
記録メディア層の反射層の上層にＴＦＴ基材層を形成し、スクリーン印刷法によりおよそ１μｍのＴＦＴ層を形成した。
【００４９】
データ通信用駆動電極、電気泳動表示シート駆動電極及びグランド線を施した記録メディア内周部に、記録メディアの重心がメディアの回転中心に保たれるよう厚さをおよそ１００μｍのＩＣ基板を配置した。
【００５０】
前記ＴＦＴ層と前記前面板の導電性接着剤層とを貼り合わせた。
【００５１】
ＣＤユニット内の導線は、記録メディアを挿入した際に、記録メディアの内周部に施したデータ通信用駆動電極、電気泳動表示駆動電極及びグランド線が接触するように配置した。
【００５２】
本発明の電気泳動表示方式記録メディアを上記ＣＤユニットに挿入し、データ通信用駆動電極、電気泳動表示シート駆動電極及びグランド線がＣＤユニット内の導線と接触した
。
【００５３】
メモリに保存されている情報データをＣＰＵにおいて演算加工され、トランシーバーにより挿入された記録メディアに情報データが送信された。
【００５４】
レシーバーにより受信した書き換え情報データはＩＣメモリに記憶され、電気泳動表示部に表示させるための駆動回路を介し、電気泳動表示シート駆動電極から１５Ｖの電源が供給されることで表面表示部に書き換え情報データの表示がなされた。マイクロカプセルに保護層を設けることにより、表示部の情報データを書き換える際にマイクロカプセルが損傷されることなく、情報データが表示されたことを確認した。
【図面の簡単な説明】
【００５５】
【図１】本発明の一実施形態に係る電気泳動表示方式記録メディアの上面図である。
【図２】本発明の一実施形態に係る電気泳動表示方式記録メディアの模式断面図である。
【図３】本発明の一実施形態に係る電気泳動表示方式記録メディアの電気泳動表示層のマイクロカプセルの模式平面図である。
【図４】本発明の一実施形態に係る電気泳動表示方式記録メディアの内側部及び内側境界部の部分詳細図である。
【図５】本発明の一実施形態に係る電気泳動表示方式記録メディアの図４のＡ−Ａ'付近における側面図である。
【図６】本発明の一実施形態に係る電気泳動表示方式記録メディアのシステム構成を示すブロック図である。
【符号の説明】
【００５６】
１・・・記録メディア
２・・・電気泳動表示シート
３・・・穴部
４・・・円周部
５・・・内側境界部
６・・・外周部
７・・・外周境界部
８・・・透明樹脂膜
９・・・透明電極層
１０・・・黒色粒子と白色粒子を封入したマイクロカプセル
１１・・・バインダー材
１２・・・マイクロカプセル層
１３・・・導電性接着層
１４・・・前面板
１５・・・電気泳動表示層
１６・・・ＴＦＴ
１７・・・ＴＦＴ基材層
１８・・・反射層
１９・・・記録層
２０・・・ディスク基板層
２１・・・ＩＣ基板
２２・・・記録メディア層
２３・・・白色粒子
２４・・・黒色粒子
２５・・・分散媒
２６・・・カプセル殻
２７・・・データ通信用駆動電極
２８・・・電気泳動表示シート駆動電極
２９・・・グランド線
３０・・・導線
３１・・・外部機器
３２・・・ＣＰＵ
３３・・・メモリ
３４・・・トランシーバー
３５・・・レシーバー
３６・・・ＩＣメモリ
３７・・・ＭＰＵ
３８・・・駆動回路
３９・・・駆動電源
４０・・・ＣＤもしくはＤＶＤユニット
【図１】
2009080262.tif 000003
【図２】
2009080262.tif 000004
【図３】
2009080262.tif 000005
【図４】
2009080262.tif 000006
【図５】
2009080262.tif 000007
【図６】
2009080262.tif 000008